(57)【要約】【課題】吹付け面となる基材表面に対してアスベスト含有吹付け材に含まれる繊維材を残すことなくアスベスト含有吹付け材を確実に除去することができる。【解決手段】吹付け材用の接着剤又は塗装からなる基材表面層３が施されている基材１の表面１ａに対して吹き付けられている吹付け材２において、注入治具４を用いて、基材表面層３に対して溶解機能を有する有機溶剤５を吹付け材２の基材１との接着界面Ｔ付近に向けて注入し、その有機溶剤５を接着界面Ｔに沿って浸透させるようにしたアスベスト含有吹付け材の除去方法を提供する。【選択図】図１
2013144904.tif 000002
【特許請求の範囲】
【請求項１】
吹付け材用の接着剤又は塗装が施されている基材の表面に対して吹き付けられているアスベスト含有吹付け材の除去方法であって、
注入治具を用いて、前記接着剤又は塗装に対して溶解機能を有する有機溶剤を前記アスベスト含有吹付け材の前記基材との接着界面付近に向けて注入し、その有機溶剤を前記接着界面に沿って浸透させることを特徴とするアスベスト含有吹付け材の除去方法。
【請求項２】
前記注入治具は、前記アスベスト含有吹付け材に貫入可能な針状部材を有し、
該針状部材の先端には、針軸に対して直交する方向に注入孔が設けられ、
前記針状部材を前記アスベスト含有材吹付け材に挿入し、その先端が前記接着界面に到達した状態で該注入孔により針軸に対して放射方向に前記有機溶剤を噴射させることを特徴とする請求項１に記載のアスベスト含有吹付け材の除去方法。
【発明の詳細な説明】
【技術分野】
【０００１】
本発明は、基材の表面に吹き付けられているアスベスト含有吹付け材の除去方法に関する。
【背景技術】
【０００２】
従来、吹付けアスベスト材やアスベスト含有吹付けロックウールなどのアスベスト含有吹付け材を除去する方法として、ケレン棒等の工具による粗落し後、例えばブラシ等を用いてセメント成分を主体とした残留付着物を削ぎ落として磨き上げる作業が行われている。
また、この他の除去方法として、手持ち可能な注射器を用いて吹付け材の基材との間の接着面付近に酸性液を注入し、吹付け材を酸性液に反応させ溶解させ、剥離させつつ自然に落下させる方法が、例えば特許文献１に開示されている。
【先行技術文献】
【特許文献】
【０００３】
【特許文献１】特開２０１０−１８５１８２号公報
【発明の概要】
【発明が解決しようとする課題】
【０００４】
しかしながら、従来のアスベスト除去方法では以下のような問題があった。
すなわち、アスベスト含有吹付け材の下地に接着剤を塗布する場合や、基材の表面に塗装が施されている場合には、それらの材料にアスベスト含有吹付け材のアスベストやロックウールの繊維が突き刺さって残った状態となる。そのため、上述した特許文献１のような酸性液で吹付け材を溶解する方法では、接着剤や塗装に突き刺さった繊維を十分に取り除くことができず、アスベスト含有吹付け材の除去後の基材表面に上記繊維が残置されたままとなるおそれがあり、その点で改善の余地があった。
【０００５】
本発明は、上述する問題点に鑑みてなされたもので、アスベスト含有吹付け材に含まれる繊維が吹付け面となる基材表面に付着した状態で残ることなくアスベスト含有吹付け材を確実に除去することができるアスベスト含有吹付け材の除去方法を提供することを目的とする。
【課題を解決するための手段】
【０００６】
上記目的を達成するため、本発明に係るアスベスト含有吹付け材の除去方法では、吹付け材用の接着剤又は塗装が施されている基材の表面に対して吹き付けられているアスベスト含有吹付け材の除去方法であって、注入治具を用いて、接着剤又は塗装に対して溶解機能を有する有機溶剤をアスベスト含有吹付け材の基材との接着界面付近に向けて注入し、その有機溶剤を接着界面に沿って浸透させることを特徴としている。
【０００７】
本発明では、剥離機能を有する有機溶剤が基材のアスベスト含有吹付け材との間の接着界面に注入されるので、その接着界面に介在する吹付け材用の接着剤又は塗装の塗膜が有機溶剤との化学反応によって分解して溶解した状態となり、基材表面に対する付着力を低下させることができる。そして、注入する有機溶剤を基材の接着界面に沿って浸透させることで、有機溶剤が接着界面全体にわたって拡散するため、アスベスト含有吹付け材が基材に対して剥離し、このアスベスト含有吹付け材が天上面あるいは側壁部に施されている場合には自然に落下させることができる。このとき、吹付け材用の接着剤又は塗装が有機溶剤によって溶解するため、これら吹付け材用の接着剤又は塗装にアスベスト含有吹付け材のアスベストやロックウールが突き刺さって付着した状態で基材表面に残ることがなくなる。
そのため、基材表面が複雑な形状である場合や、その基材表面にボルト等の突起物が設けられている場合であっても、アスベスト含有吹付け材の付着残しが無い状態で除去を行うことができる。
【０００８】
また、本発明の除去方法によると、有機溶剤の注入作業のみでアスベスト含有吹付け材を自然落下させて除去することができることから、例えば複雑な機構を備えた専用の除去装置を用いる必要がなく、またケレン棒で粗落としを行った後に磨き上げを行うといった手間のかかる作業も不要となる。このように大型の除去装置を使用することがないことから、狭小な作業空間であっても、容易に且つ短時間で除去作業を行うことができる。
【０００９】
また、本発明に係るアスベスト含有吹付け材の除去方法では、注入治具は、アスベスト含有吹付け材に貫入可能な針状部材を有し、針状部材の先端には、針軸に対して直交する方向に注入孔が設けられ、針状部材をアスベスト含有材吹付け材に挿入し、その先端が接着界面に到達した状態で注入孔により針軸に対して放射方向に有機溶剤を噴射させることが好ましい。
【００１０】
この場合には、針状部材をアスベスト含有吹付け材に挿入して有機溶剤を注入するといった簡単な作業で済むうえ、針状部材を挿入する作業時においても吹付け材中のアスベストやロックウールが飛散するのを防止できるという利点がある。
また、針状部材の注入孔が針軸に対して直交する方向に向けて設けられているので、アスベスト含有吹付け材に針状部材を挿入する際に吹付け材が注入孔に詰まるのを防止することができ、注入孔からの有機溶剤の噴射が妨げられるといった不具合を抑えることができる。
【発明の効果】
【００１１】
本発明のアスベスト含有吹付け材の除去方法によれば、基材とアスベスト含有吹付け材との間の接着界面に有機溶剤を注入することで、その有機溶剤によって吹付け面となる基材表面に施される接着剤や塗装を分解して付着力を低下させることが可能となり、アスベスト含有吹付け材に含まれる繊維が基材表面に付着した状態で残ることなくアスベスト含有吹付け材を確実に除去することができる。
【図面の簡単な説明】
【００１２】
【図１】本発明の実施の形態によるアスベスト含有吹付け材の除去方法を説明するための側面図である。
【図２】除去対象となる吹付け材および基材の断面図である。
【図３】図１に示す注入治具の拡大図である。
【図４】図２に示す注入針の先端部を示す拡大図である。
【図５】吹付け材の除去方法の概要を示す側面図である。
【発明を実施するための形態】
【００１３】
以下、本発明の実施の形態によるアスベスト含有吹付け材の除去方法について、図１乃至図５に基づいて説明する。
【００１４】
図１に示すように、本実施の形態によるアスベスト含有吹付け材の除去方法は、建物などの鉄筋コンクリート造のスラブやこのスラブを下方より支持するＨ型鋼材からなる梁からなる基材１の表面に被覆されたアスベスト含有吹付け材（以下、単に「吹付け材２」という）を除去する施工に適用されるものである。基材１は、例えば２５〜６０ｍｍ程度の吹付け厚さの吹付け材２によって吹付け施工された状態となっている。
また、図２に示すように、基材表面１ａには、吹き付け用の接着剤又は基材１の塗装からなる基材表面層３が設けられている。
【００１５】
なお、アスベストを含有する吹付け材２として、吹付けアスベスト材やアスベスト含有吹付けロックウール等が挙げられる。そして、吹付け材２の強度は、後述する注入治具４の注入針４２を挿入可能な程度の材料強度で施工されたものとなっている。
【００１６】
吹付け材２の除去方法は、手持ち可能な注射器型の注入治具４を用いて、接着剤又は塗装に対して溶解機能を有する有機溶剤５を吹付け材２の基材１との間の接着界面Ｔ付近に向けて注入し、吹付け材２を有機溶剤５に反応させて溶解させ、剥離させつつ自然に落下させ、その落下した吹付け材２を取り除く方法となっている。なお、接着界面Ｔとは、基材表面層３と吹付け材２との間の境界面をいう。
【００１７】
ここで、接着界面Ｔ付近に注入される有機溶剤５としては、クロロホルム、四塩化炭素、１・２―ジクロルエタン（二塩化エチレン）、１・２―ジクロルエチレン（二塩化アセチレン）、１・１・２・２―テトラクロルエタン（四塩化アセチレン）、トリクロルエチレン、二硫化炭素、アセトン、イソブチルアルコール、イソプロピルアルコール、イソペンチルアルコール（イソアミルアルコール）、エチルエーテル、エチレングリコールモノエチルエーテル（セロソルブ）、エチレングリコールモノエチルエーテルアセタート（セロソルブアセタート）、エチレングリコールモノ―ノルマル―ブチルエーテル（ブチルセロソルブ）、エチレングリコールモノメチルエーテル（メチルセロソルブ）、オルト―ジクロルベンゼン、キシレン、クレゾール、クロルベンゼン、酢酸イソブチル、酢酸イソプロピル、酢酸イソペンチル（酢酸イソアミル）、酢酸エチル、酢酸ノルマル―ブチル、酢酸ノルマル―プロピル、酢酸ノルマル―ペンチル（酢酸ノルマル―アミル）、酢酸メチル、シクロヘキサノール、シクロヘキサノン、１・４―ジオキサン、ジクロルメタン（二塩化メチレン）、Ｎ・Ｎ―ジメチルホルムアミド、スチレン、テトラクロルエチレン（パークロルエチレン）、テトラヒドロフラン、１・１・１―トリクロルエタン、トルエン、ノルマルヘキサン（ヘキサン）、１―ブタノール、２―ブタノール、メタノール、メチルイソブチルケトン、メチルエチルケトン、メチルシクロヘキサノール、メチルシクロヘキサノン、メチル―ノルマル―ブチルケトン、ガソリン、コールタールナフサ（ソルベントナフサを含む）、石油エーテル、石油ナフサ、石油ベンジン、テレビン油、ミネラルスピリツト（ミネラルシンナー、ペトロリウムスピリツト、ホワイトスピリツト及びミネラルターペン含む）、エステル系溶剤、トリメチルベンゼン（石油系溶剤含有物）、１・３・５―トリメチルベンゼン（トリメチルベンゼン含有物）、クメン（石油系溶剤含有物）、直鎖アルキルベンゼンスルホン酸塩、ナフタレンの純物質もしくは混合物、水溶液等が挙げられる。
【００１８】
これら有機溶剤５は、上述したように接着剤又は塗装からなる基材表面層３に反応させて溶解させる作用を有しており、接着界面Ｔ付近に注入することで基材１に対して基材表面層３を剥離させるためのものである。そのため、有機溶剤５は、基材表面層３の種類、吹付け材２の材質、基材１の材質などに応じて適宜選定される。
【００１９】
図３に示すように、有機溶剤５を接着界面Ｔに注入するための注入治具４は、有機溶剤５を収容可能な溶剤収容部４１と、溶剤収容部４１に連通する注入針４２と、溶剤収容部４１内の体積を増減可能に操作するための操作部４３と、を有している。
【００２０】
図４に示すように、注入針４２は、先端の注入孔４２ａ（針状部材）が針軸に対して直交する方向に設けられており、先端が接着界面Ｔに到達した状態で注入孔４２ａにより針軸に対して放射方向に有機溶剤５を噴射させる構成となっている（図５参照）。そして、注入針４２の注入孔４２ａが横向きに開いているので、吹付け材２に注入針４２を挿入する際に、吹付け材２が注入孔４２ａに詰まるのを防止することができ、注入孔４２ａからの有機溶剤５の噴射が妨げられるといった不具合を抑えることができる構造となっている。操作部４３を溶剤収容部４１側に押し込むことで、注入針４２の注入孔４２ａから有機溶剤５を噴出させることができ、操作部４３を引き上げることで注入孔４２ａより適宜量の有機溶剤５を溶剤収容部４１内に吸入することが可能である。
【００２１】
図５に示すように、具体的な吹付け材２の除去方法は、有機溶剤５を図３に示す溶剤収容部４１内に吸引させた注入治具４を使用し、注入針４２の注入孔４２ａを所定の注入位置（接着界面Ｔ）となるように挿入し、操作部４３を押し込んで有機溶剤５を注入する。ここで、図５では、注入治具４の注入針４２のみが表示され、各注入位置に注入針４２が記載された状態を示している。なお、この注入作業は、注入治具４が手持ち可能であるので人力により容易に行うことができる。
【００２２】
有機溶剤５を注入すると、接着界面Ｔに位置する基材表面層３が有機溶媒５によって分解して溶解し、これにより吹付け材２が基材１に対して剥離し、さらに自然に落下させることができる。落下した吹付け材２は、適宜な回収手段により取り除けば良い。
なお、有機溶剤５の注入位置は所定の間隔をもって注入されるが、例えば基材１にボルト等の突起部１ｂがある箇所においては、注入箇所を増やし、注入間隔を小さくして注入することで、接着界面Ｔの全体にわたって有機溶剤５を浸透させるようにする。
【００２３】
本実施の形態の除去方法では、図５に示すように、剥離機能を有する有機溶剤５が接着界面Ｔに注入されるので、その接着界面Ｔに介在する吹付け材２用の接着剤又は塗装の塗膜からなる基材表面層３が有機溶剤５との化学反応によって分解して溶解した状態となり、基材表面１ａに対する付着力を低下させることができる。そして、注入する有機溶剤５を基材１の接着界面Ｔに沿って浸透させることで、有機溶剤５が接着界面Ｔ全体にわたって拡散するため、吹付け材２が基材１に対して剥離し、この吹付け材２が本実施の形態のように天上面あるいは側壁部に施されている場合には自然に落下させることができる。このとき、基材表面層３が有機溶剤５によって溶解するため、これら基材表面層３に吹付け材２のアスベストやロックウールが突き刺さって付着した状態で基材表面１ａに残ることがなくなる。
そのため、基材表面１ａが複雑な形状である場合や、その基材表面１ａにボルト等の突起物(図５に示す突起部１ｂ)が設けられている場合であっても、吹付け材２の付着残しが無い状態で除去を行うことができる。
【００２４】
また、有機溶剤５の注入作業のみで吹付け材２を自然落下させて除去することができることから、例えば複雑な機構を備えた専用の除去装置を用いる必要がなく、またケレン棒で粗落としを行った後に磨き上げを行うといった手間のかかる作業も不要となる。このように大型の除去装置を使用することがないことから、狭小な作業空間であっても、容易に且つ短時間で除去作業を行うことができる。
【００２５】
さらに、注入針４２を吹付け材２に挿入して有機溶剤５を注入するといった簡単な作業で済むうえ、注入針４２を挿入する作業時においても吹付け材２中のアスベストやロックウールが飛散するのを防止できるという利点がある。
また、注入針４２の注入孔４２ａが針軸に対して直交する方向に向けて設けられているので、吹付け材２に注入針４２を挿入する際に吹付け材２が注入孔４２ａに詰まるのを防止することができ、注入孔４２ａからの有機溶剤５の噴射が妨げられるといった不具合を抑えることができる。
【００２６】
上述のように本実施の形態によるアスベスト含有吹付け材の除去方法では、基材１と吹付け材２との間の接着界面Ｔに有機溶剤５を注入することで、その有機溶剤５によって吹付け面となる基材表面１ａに施される基材表面層３（接着剤や塗装）を分解して付着力を低下させることが可能となり、吹付け材２に含まれる繊維が基材表面１ａに付着した状態で残ることなく吹付け材２を確実に除去することができる。
【００２７】
以上、本発明によるアスベスト含有吹付け材の除去方法の実施の形態について説明したが、本発明は上記の実施の形態に限定されるものではなく、その趣旨を逸脱しない範囲で適宜変更可能である。
例えば、本実施の形態では溶剤収容部４１を備えた注射器型の注入治具４を用いているが、このような構成であることに限定されることはない。例えば、有機溶剤５を収容できる据付型の容器と、その容器に繋がれた注入ホースの先端に設けた注入針を吹付け材２に挿入するような形態のものや、あるいはガン式の注入治具であってもよい。
また、注入治具を用いた有機溶剤５の注入においては、加圧ポンプ等により圧力を加えて注入する圧入とすることも可能である。
【００２８】
さらに、本実施の形態では注入針４２の注入孔４２ａの位置が針軸に対して直交する横向きに開口を有するものとしているが、これに限定されず、針軸方向に開口を有する注入針であってもかまわない。
また、有機溶剤５の注入量、注入位置、注入間隔等は、吹付け材２の材質、その吹付け材２の厚さ寸法、基材１の材質等の条件に応じて適宜設定することができる。
【００２９】
その他、本発明の趣旨を逸脱しない範囲で、上記した実施の形態における構成要素を周知の構成要素に置き換えることは適宜可能である。
【符号の説明】
【００３０】
１  基材
２  吹付け材（アスベスト含有吹付け材）
３  基材表面層
４  注入治具
５  有機溶剤
４１  溶剤収容部
４２  注入針（針状部材）
４２ａ  注入孔
４３  操作部
Ｔ  接着界面
【図１】
2013144904.tif 000003
【図２】
2013144904.tif 000004
【図３】
2013144904.tif 000005
【図４】
2013144904.tif 000006
【図５】
2013144904.tif 000007
【手続補正書】
【提出日】平成24年7月19日(2012.7.19)
【手続補正１】
【補正対象書類名】特許請求の範囲
【補正対象項目名】全文
【補正方法】変更
【補正の内容】
【特許請求の範囲】
【請求項１】
吹付け材用の接着剤又は塗装が施されている基材の表面に対して吹き付けられているアスベスト含有吹付け材の除去方法であって、
前記接着剤又は塗装に対して溶解機能を有する有機溶剤を前記アスベスト含有吹付け材の前記基材との接着界面付近に向けて注入し、その有機溶剤を前記接着界面に沿って浸透させることを特徴とするアスベスト含有吹付け材の除去方法。
【請求項２】
注入治具を用いて、前記接着剤又は塗装に対して溶解機能を有する有機溶剤を注入することを特徴とする請求項１に記載のアスベスト含有吹付け材の除去方法。
【請求項３】
前記注入治具は、前記アスベスト含有吹付け材に貫入可能な針状部材を有し、
該針状部材の先端には、針軸に対して直交する方向に注入孔が設けられ、
前記針状部材を前記アスベスト含有材吹付け材に挿入し、その先端が前記接着界面に到達した状態で該注入孔により針軸に対して放射方向に前記有機溶剤を噴射させることを特徴とする請求項２に記載のアスベスト含有吹付け材の除去方法。
【手続補正２】
【補正対象書類名】明細書
【補正対象項目名】０００６
【補正方法】変更
【補正の内容】
【０００６】
上記目的を達成するため、本発明に係るアスベスト含有吹付け材の除去方法では、吹付け材用の接着剤又は塗装が施されている基材の表面に対して吹き付けられているアスベスト含有吹付け材の除去方法であって、接着剤又は塗装に対して溶解機能を有する有機溶剤をアスベスト含有吹付け材の基材との接着界面付近に向けて注入し、その有機溶剤を接着界面に沿って浸透させることを特徴としている。
また、注入治具を用いて、前記接着剤又は塗装に対して溶解機能を有する有機溶剤を注入するようにしてもよい。